(57)【要約】【課題】  設置環境の状況に応じて適切に照らすことが可能なＬＥＤ照明装置を提供すること。【解決手段】  複数のＬＥＤチップ２２１を具備するＬＥＤ発光部２と、ＬＥＤ発光部２に電力を供給する電源部４１と、を備えるＬＥＤ照明装置であって、ＬＥＤ発光部２は、各々がＬＥＤチップ２２１を具備しており、かつ設置環境に含まれる複数の個別領域ＡＲ１〜ＡＲ４を各別に照らす複数の発光領域２０１〜２０４に区画されており、複数の個別領域ＡＲ１〜ＡＲ４の照度を各別に検出する照度センサ３１と、複数の個別領域ＡＲ１〜ＡＲ４ごとに照度センサ３１による照度測定結果と基準照度とを比較する照度比較部４２と、照度比較部４２による照度比較結果に基づいて電源部４１から複数の発光領域２０１〜２０４に供給する電力をそれぞれ制御する制御部４３と、を備える。【選択図】  図１
2016091882.tif 000002
【特許請求の範囲】
【請求項１】
複数のＬＥＤチップを具備するＬＥＤ発光部と、
前記ＬＥＤ発光部に電力を供給する電源部と、を備えるＬＥＤ照明装置であって、
前記ＬＥＤ発光部は、各々が前記ＬＥＤチップを具備しており、かつ設置環境に含まれる複数の個別領域を各別に照らす複数の発光領域に区画されており、
前記複数の個別領域の照度を各別に検出する照度測定手段と、
前記複数の個別領域ごとに前記照度測定手段による照度測定結果と基準照度とを比較する照度比較手段と、
前記照度比較手段による照度比較結果に基づいて前記電源部から前記複数の発光領域に供給する電力をそれぞれ制御する制御手段と、
を備えることを特徴とする、ＬＥＤ照明装置。
【請求項２】
前記照度測定手段は、互いに異なる前記個別領域の照度を測定する複数の照度センサを含む、請求項１に記載のＬＥＤ照明装置。
【請求項３】
前記照度測定手段は、互いに異なる前記個別領域の照度を測定する１つの照度センサを含む、請求項１に記載のＬＥＤ照明装置。
【請求項４】
時刻計測手段を備えており、
前記照度比較手段は、前記時刻計測手段による時刻に応じて、前記基準照度を設定する、請求項１ないし３のいずれかに記載のＬＥＤ照明装置。
【請求項５】
前記設置環境における人体の有無を検出する人体検出手段を備える、請求項１ないし４のいずれかに記載のＬＥＤ照明装置。
【請求項６】
前記人体検出手段は、前記複数の個別領域における人体の有無を各別に検出する、請求項５に記載のＬＥＤ照明装置。
【請求項７】
前記照度比較手段は、前記各個別領域の前記基準照度を、前記人体検出手段の検出結果に応じて異ならせる、請求項６に記載のＬＥＤ照明装置。
【請求項８】
前記各個別領域の前記基準照度は、人体が存在する場合の方が、人体が存在しない場合よりも大である、請求項７に記載のＬＥＤ照明装置。
【請求項９】
前記ＬＥＤ発光部は、複数のＬＥＤ基板を有している、請求項１ないし８のいずれかに記載のＬＥＤ照明装置。
【請求項１０】
前記複数のＬＥＤ基板は、全体として平面視円環形状である、請求項９に記載のＬＥＤ照明装置。
【請求項１１】
前記複数のＬＥＤ基板は、平面視において前記電源部を囲んでいる、請求項１０に記載のＬＥＤ照明装置。
【請求項１２】
前記照度測定手段は、平面視において、前記複数のＬＥＤ基板と前記電源部との間に配置されている、請求項１１に記載のＬＥＤ照明装置。
【請求項１３】
前記各発光領域が、前記各ＬＥＤ基板に対応している、請求項９ないし１２のいずれかに記載のＬＥＤ照明装置。
【請求項１４】
前記ＬＥＤ発光部は、各々がＬＥＤチップを内蔵する複数のＬＥＤモジュールを具備する、請求項９ないし１３のいずれかに記載のＬＥＤ照明装置。
【請求項１５】
前記ＬＥＤモジュールは、前記ＬＥＤ基板に搭載されている、請求項１４に記載のＬＥＤ照明装置。
【請求項１６】
前記各ＬＥＤモジュールは、前記ＬＥＤチップを覆い、且つ前記ＬＥＤチップからの光によって励起されることにより、異なる波長の光を発する蛍光材料を含む封止樹脂を有する、請求項１４または１５に記載のＬＥＤ照明装置。
【請求項１７】
前記複数のＬＥＤモジュールは、互いに異なる色温度の光を発する第１ＬＥＤモジュールおよび第２ＬＥＤモジュールを含む、請求項１４ないし１６のいずれかに記載のＬＥＤ照明装置。
【請求項１８】
前記第１ＬＥＤモジュールは、昼光色を発する、請求項１７に記載のＬＥＤ照明装置。
【請求項１９】
前記第２ＬＥＤモジュールは、電球色を発する、請求項１８に記載のＬＥＤ照明装置。
【請求項２０】
天井に取り付けられるシーリングライトとして構成されている、請求項１ないし１９のいずれかに記載のＬＥＤ照明装置。
【請求項２１】
前記ＬＥＤ発光部を覆い、前記ＬＥＤ発光部からの光を拡散させつつ透過させる透光カバーを備える、請求項１ないし２０のいずれかに記載のＬＥＤ照明装置。
【請求項２２】
前記透光カバーは、乳白色である、請求項２１に記載のＬＥＤ照明装置。
【発明の詳細な説明】
【技術分野】
【０００１】
本発明は、ＬＥＤ照明装置に関する。
【背景技術】
【０００２】
ＬＥＤチップを光源とした様々な照明装置が提案されている。特許文献１には、従来のＬＥＤ照明装置の一例が開示されている。同文献に開示されたＬＥＤ照明装置は、複数のＬＥＤチップを備えており、天井などに取り付けられるいわゆるシーリングライトとして構成されている。このようなＬＥＤ照明装置は、設置環境である室内を均一に照らすことが好ましい。特許文献１においては、均一に照らすことが意図された工夫が凝らされている。
【０００３】
しかしながら、設置環境である室内は、様々な状況によってどのように照らされるべきかが刻々と変化する場合がある。たとえば、同じ室内であっても、そこに含まれる領域ごとに好ましい照度が存在する場合がある。このような場合、単に照度を均一化するだけでは、要請に応えることはできない。
【先行技術文献】
【特許文献】
【０００４】
【特許文献１】特開２０１４−１７０７１３号公報
【発明の概要】
【発明が解決しようとする課題】
【０００５】
本発明は、上記した事情のもとで考え出されたものであって、設置環境の状況に応じて適切に照らすことが可能なＬＥＤ照明装置を提供することをその課題とする。
【課題を解決するための手段】
【０００６】
本発明によって提供されるＬＥＤ照明装置は、複数のＬＥＤチップを具備するＬＥＤ発光部と、前記ＬＥＤ発光部に電力を供給する電源部と、を備えるＬＥＤ照明装置であって、前記ＬＥＤ発光部は、各々が前記ＬＥＤチップを具備しており、かつ設置環境に含まれる複数の個別領域を各別に照らす複数の発光領域に区画されており、前記複数の個別領域の照度を各別に検出する照度測定手段と、前記複数の個別領域ごとに前記照度測定手段による照度測定結果と基準照度とを比較する照度比較手段と、前記照度比較手段による照度比較結果に基づいて前記電源部から前記複数の発光領域に供給する電力をそれぞれ制御する制御手段と、を備えることを特徴としている。
【０００７】
本発明の好ましい実施の形態においては、前記照度測定手段は、互いに異なる前記個別領域の照度を測定する複数の照度センサを含む。
【０００８】
本発明の好ましい実施の形態においては、前記照度測定手段は、互いに異なる前記個別領域の照度を測定する１つの照度センサを含む。
【０００９】
本発明の好ましい実施の形態においては、時刻計測手段を備えており、前記照度比較手段は、前記時刻計測手段による時刻に応じて、前記基準照度を設定する。
【００１０】
本発明の好ましい実施の形態においては、前記設置環境における人体の有無を検出する人体検出手段を備える。
【００１１】
本発明の好ましい実施の形態においては、前記人体検出手段は、前記複数の個別領域における人体の有無を各別に検出する。
【００１２】
本発明の好ましい実施の形態においては、前記照度比較手段は、前記各個別領域の前記基準照度を、前記人体検出手段の検出結果に応じて異ならせる。
【００１３】
本発明の好ましい実施の形態においては、前記各個別領域の前記基準照度は、人体が存在する場合の方が、人体が存在しない場合よりも大である。
【００１４】
本発明の好ましい実施の形態においては、前記ＬＥＤ発光部は、複数のＬＥＤ基板を有している。
【００１５】
本発明の好ましい実施の形態においては、前記複数のＬＥＤ基板は、全体として平面視円環形状である。
【００１６】
本発明の好ましい実施の形態においては、前記複数のＬＥＤ基板は、平面視において前記電源部を囲んでいる。
【００１７】
本発明の好ましい実施の形態においては、前記照度測定手段は、平面視において、前記複数のＬＥＤ基板と前記電源部との間に配置されている。
【００１８】
本発明の好ましい実施の形態においては、前記各発光領域が、前記各ＬＥＤ基板に対応している。
【００１９】
本発明の好ましい実施の形態においては、前記ＬＥＤ発光部は、各々がＬＥＤチップを内蔵する複数のＬＥＤモジュールを具備する。
【００２０】
本発明の好ましい実施の形態においては、前記ＬＥＤモジュールは、前記ＬＥＤ基板に搭載されている。
【００２１】
本発明の好ましい実施の形態においては、前記各ＬＥＤモジュールは、前記ＬＥＤチップを覆い、且つ前記ＬＥＤチップからの光によって励起されることにより、異なる波長の光を発する蛍光材料を含む封止樹脂を有する。
【００２２】
本発明の好ましい実施の形態においては、前記複数のＬＥＤモジュールは、互いに異なる色温度の光を発する第１ＬＥＤモジュールおよび第２ＬＥＤモジュールを含む。
【００２３】
本発明の好ましい実施の形態においては、前記第１ＬＥＤモジュールは、昼光色を発する。
【００２４】
本発明の好ましい実施の形態においては、前記第２ＬＥＤモジュールは、電球色を発する。
【００２５】
本発明の好ましい実施の形態においては、天井に取り付けられるシーリングライトとして構成されている。
【００２６】
本発明の好ましい実施の形態においては、前記ＬＥＤ発光部を覆い、前記ＬＥＤ発光部からの光を拡散させつつ透過させる透光カバーを備える。
【００２７】
本発明の好ましい実施の形態においては、前記透光カバーは、乳白色である。
【発明の効果】
【００２８】
本発明によれば、前記照度測定手段による照度測定結果に応じて、前記複数の個別領域における照度を所望の照度に近づけることができる。このため、単に前記設置環境全体を均一な照度で照らすことにとどまらず、前記複数の個別領域において相応しい照度で照らすことが可能である。したがって、前記設置環境の状況に応じて適切に照らすことができる。
【００２９】
本発明のその他の特徴および利点は、添付図面を参照して以下に行う詳細な説明によって、より明らかとなろう。
【図面の簡単な説明】
【００３０】
【図１】本発明に係るＬＥＤ照明装置の一例が、照明すべき設置環境に設置された状態を示す概略図である。
【図２】本発明に係るＬＥＤ照明装置の一例を示す平面図である。
【図３】図２のＬＥＤ照明装置を示す側面図である。
【図４】図２のＬＥＤ照明装置を示す要部平面図である。
【図５】図２のＬＥＤ照明装置に用いられるＬＥＤモジュールを示す要部平面図である。
【図６】図５のＶＩ−ＶＩ線に沿う断面図である。
【図７】図２のＶＩＩ−ＶＩＩ線に沿う断面図である。
【図８】図２のＬＥＤ照明装置を示す要部拡大断面図である。
【図９】図２のＬＥＤ照明装置を示す要部拡大断面図である。
【図１０】図２のＬＥＤ照明装置を示すシステム構成図である。
【図１１】図２のＬＥＤ照明装置の動作例を示すフローチャートである。
【図１２】設置環境を示す概略平面図である。
【図１３】設置環境における示す概略平面図である。
【図１４】設置環境における設定照度の一例を示す概略平面図である。
【図１５】設置環境における設定照度の他の例を示す概略平面図である。
【図１６】設置環境における設定照度の一例を示す概略平面図である。
【図１７】設置環境における設定照度の一例を示す概略平面図である。
【発明を実施するための形態】
【００３１】
以下、本発明の好ましい実施の形態につき、図面を参照して具体的に説明する。
【００３２】
図１は、本発明に係るＬＥＤ照明装置の一例が設置環境に設置された状態を示しており、図２〜図１０は、本実施形態のＬＥＤ照明装置を示している。本実施形態のＬＥＤ照明装置Ａ１は、支持板１、ＬＥＤ発光部２、照度センサ３１、人感センサ３２、電源部４１、照度比較部４２、制御部４３、時刻計測手段４４、透光カバー５１およびセンターカバー５２を備えている。ＬＥＤ照明装置Ａ１は、設置環境であるリビングダイニングルームＬＤの天井ＣＬに取り付けられる、いわゆるシーリングライトとして構成されている。
【００３３】
図１は、ＬＥＤ照明装置Ａ１が、照明すべき設置環境に設置された状態を示す概略図である。図２は、ＬＥＤ照明装置Ａ１を示す平面図である。図３は、ＬＥＤ照明装置Ａ１を示す側面図である。図４は、ＬＥＤ照明装置Ａ１を示す要部平面図である。図５は、ＬＥＤ照明装置Ａ１に用いられるＬＥＤモジュールを示す要部平面図である。図６は、図５のＶＩ−ＶＩ線に沿う断面図である。図７は、図２のＶＩＩ−ＶＩＩ線に沿う断面図である。図８は、ＬＥＤ照明装置Ａ１を示す要部拡大断面図である。図９は、ＬＥＤ照明装置Ａ１を示す要部拡大断面図である。図１０は、ＬＥＤ照明装置Ａ１を示すシステム構成図である。
【００３４】
支持板１は、ＬＥＤ照明装置Ａ１の土台となる部位であり、他の構成要素を支持している。本実施形態においては、支持板１は、平面視円形状であり、たとえば金属板をプレス加工することによって形成されている。
【００３５】
ＬＥＤ発光部２は、ＬＥＤ照明装置Ａ１の発光要素である。本実施形態においては、ＬＥＤ発光部２は、複数のＬＥＤ基板２１および複数のＬＥＤモジュール２２を有する。また、ＬＥＤ発光部２には、複数の発光領域２０１〜２０４が設定されている。
【００３６】
複数のＬＥＤ基板２１は、各々に複数のＬＥＤモジュール２２が搭載されている。各ＬＥＤ基板２１は、たとえばガラスエポキシ樹脂などの絶縁材料からなる基材と、当該基材上に形成された配線パターンとからなる。本実施形態においては、４つのＬＥＤ基板２１が採用されている。これらのＬＥＤ基板２１は、全体として平面視円環形状である。また、４つのＬＥＤ基板２１は、平面視において電源部４１を囲んでいる。
【００３７】
また、本実施形態においては、４つのＬＥＤ基板２１が、４つの発光領域２０１〜２０４に対応している。すなわち、図１０に示すように、後述する制御部４３によって、各ＬＥＤ基板２１に搭載された複数のＬＥＤモジュール２２が、個別に発光制御される。すなわち、４つの発光領域２０１〜２０４は、それぞれの輝度が制御部４３によって個別に制御される。
【００３８】
複数のＬＥＤモジュール２２は、ＬＥＤ発光部２があたかも面状光源として発光するような外観を呈することを意図して採用されている。本実施形態においては、複数のＬＥＤモジュール２２が略同心円上に配置されている。また、本実施形態においては、複数のＬＥＤモジュール２２は、第１ＬＥＤモジュール２２Ａおよび第２ＬＥＤモジュール２２Ｂを含む。第１ＬＥＤモジュール２２Ａは、発する光の色温度が６５００Ｋ程度であり、いわゆる昼光色の光を発する。第２ＬＥＤモジュール２２Ｂは、発する光の色温度が３０００Ｋ程度であり、いわゆる電球色の光を発する。
【００３９】
図６は、第１ＬＥＤモジュール２２Ａあるいは第２ＬＥＤモジュール２２Ｂを示している。第１ＬＥＤモジュール２２Ａおよび第２ＬＥＤモジュール２２Ｂの基本構成は同様であり、ＬＥＤチップ２２１、リード２２２、封止樹脂２２３およびケース２２４を具備している。ＬＥＤチップ２２１は、ＬＥＤ発光部２の光源であり、たとえばＧａＮ系半導体からなる。ＬＥＤチップ２２１は、たとえば青色光を発する。リード２２２は、ＬＥＤチップ２２１が搭載されており、ＬＥＤチップ２２１への導通経路を構成している。ＬＥＤチップ２２１は、たとえばＣｕまたはＮｉなどの金属からなる。封止樹脂２２３は、ＬＥＤチップ２２１を覆っている。封止樹脂２２３は、ＬＥＤチップ２２１からの光を透過する透明なシリコーン樹脂や透明なエポキシ樹脂と、これらの樹脂に混入された蛍光材料からなる。前記蛍光材料は、ＬＥＤチップ２２１からの青色光によって励起されることにより、黄色光などの異なる波長の光を発する。前記蛍光材料の組成などを調整することにより、第１ＬＥＤモジュール２２Ａからは昼光色の光が発せられ、第２ＬＥＤモジュール２２Ｂからは電球色の光が発せられる。ケース２２４は、ＬＥＤチップ２２１を囲んでおり、たとえば白色のエポキシ樹脂からなる。ケース２２４によって囲まれた領域には、封止樹脂２２３が充填されている。
【００４０】
照度センサ３１は、設置環境であるリビングダイニングルームＬＤが区画された複数の個別領域ＡＲ１〜ＡＲ４における照度を個別に測定するためのものであり、本発明で言う照度測定手段の一例である。照度センサ３１は、たとえばフォトダイオードあるいはフォトトランジスタなどを備えている。照度センサ３１の構成は特に限定されないが、その具体的構成としては、各々がフォトダイオードあるいはフォトトランジスタなどを備える複数のモジュールからなる構成や、複数のフォトダイオードあるいはフォトトランジスタなどを具備する１つのモジュールからなる構成が挙げられる。本実施形態においては、図４に示すように、照度センサ３１は、平面視において、円環状であるＬＥＤ発光部２と電源部４１との間に配置されている。
【００４１】
人感センサ３２は、設置環境であるリビングダイニングルームＬＤが区画された複数の個別領域ＡＲ１〜ＡＲ４における人体の有無を検出するためのものであり、本発明で言う人体検出手段の一例である。人感センサ３２の構成は特に限定されないが、その具体的構成としては、たとえば赤外線、超音波および可視光などを利用した素子が用いられる。さらに、複数の個別領域ＡＲ１〜ＡＲ４における人体の有無を個別に検出するために、人感センサ３２は、複数の個別領域ＡＲ１〜ＡＲ４のそれぞれに対応した複数のレンズ体が結合されたレンズユニットを備えるものを採用すればよい。
【００４２】
電源部４１は、たとえば商用の交流１００Ｖ電源から受けた交流電力をＬＥＤ発光部２のＬＥＤチップ２２１を点灯させるのに適した直流電力に変換するものである。本実施形態においては、電源部４１は、発光領域２０１〜２０４に個別に電力を供給可能である。また、電源部４１は、発光領域２０１〜２０４の各々に含まれる第１ＬＥＤモジュール２２Ａと第２ＬＥＤモジュール２２Ｂとに個別に電力を供給する。電源部４１による電力供給の制御例としては、たとえば、ＬＥＤモジュール２２に送られる電流の大きさを設定するとともに、いわゆるＰＷＭ制御によって各ＬＥＤチップ２２１の発光時間率を制御する方式が挙げられる。
【００４３】
照度比較部４２は、複数の個別領域ＡＲ１〜ＡＲ４ごとに照度センサ３１による照度測定結果である測定照度ＩＳｍ１〜ＩＳｍ４と設定照度ＩＳ１〜ＩＳ４とを比較するものであり、本発明で言う照度測定手段に相当する。照度比較部４２は、たとえばＣＰＵ、メモリおよびインターフェースなどを具備する。前記メモリには、個別領域ＡＲ１〜ＡＲ４ごとの設定照度ＩＳ１〜ＩＳ４が記憶されている。設定照度ＩＳ１〜ＩＳ４は、後述するように、様々な状況に応じた複数の組み合わせが用意されている。
【００４４】
制御部４３は、照度比較部４２による照度比較結果に基づいて電源部４１から複数の発光領域２０１〜２０４に供給する電力を電源部４１に指令することによりそれぞれ制御するものであり、本発明で言う制御手段に相当する。制御部４３は、たとえばＣＰＵ、メモリおよびインターフェースなどを具備する。また、上述した照度比較部４２は、制御部４３によって実行されるプログラムの一部として構成されていてもよい。
【００４５】
時刻計測手段４４は、現在の時刻を計測し、その時刻信号を照度比較部４２に送るものである。なお、時刻計測手段４４は、照度比較部４２に内蔵されていてもよい。
【００４６】
透光カバー５１は、平面視においてＬＥＤ発光部２を覆っており、ＬＥＤ発光部２からの光を拡散させつつ透過させる。透光カバー５１は、たとえば半透明の乳白色の樹脂からなる。なお、本実施形態においては、透光カバー５１は、平面視円環形状とされている。
【００４７】
センターカバー５２は、平面視において透光カバー５１の内側に配置されている。センターカバー５２は、不透明な樹脂などからなり、本実施形態においては、平面視円形状である。センターカバー５２には、計測孔５２１および検出孔５２２が形成されている。
【００４８】
図９に示すように、計測孔５２１は、照度センサ３１の正面に位置している。計測孔５２１は、設置環境からの光を照度センサ３１へと到達させるためのものである。計測孔５２１には、たとえば設置環境からの光を透過させる透明な部材が嵌めこまれている。あるいは、計測孔５２１は、単なる空孔であってもよい。
【００４９】
図８に示すように、検出孔５２２は、人感センサ３２の正面に位置している。検出孔５２２は、人体を検出するための赤外線などを人感センサ３２へと到達させるためのものである。検出孔５２２には、たとえば設置環境からの赤外線を透過させる部材が嵌めこまれている。あるいは、検出孔５２２は、単なる空孔であってもよい。
【００５０】
次に、ＬＥＤ照明装置Ａ１の照明制御方法について、以下に説明する。
【００５１】
図１１は、ＬＥＤ照明装置Ａ１の照明制御方法の一例を示している。本照明制御方法においては、図１２に示す設置環境である、リビングダイニングルームＬＤにＬＥＤ照明装置Ａ１が設置された場合を例に説明する。リビングダイニングルームＬＤは、本実施形態においては、個別領域ＡＲ１〜ＡＲ４に区画されている。具体例として、個別領域ＡＲ２は、ソファなどが置かれており、リビングルームとして使用される領域である。また、個別領域ＡＲ３は、ダイニングセットなどが置かれており、ダイニングルームとして使用される領域である。これらの個別領域ＡＲ１〜ＡＲ４には、人体ＨＭが、存在しうる。
【００５２】
まず図１１において、ＬＥＤ照明装置Ａ１の主電源が投入される（ステップＳ０）。すると、照度センサ３１および人感センサ３２が動作状態となる（ステップＳ１１１、ステップＳ１１２）。ステップＳ１１およびステップＳ１２は、同時に実行されても良いし、いずれかを先に実行されてもよい。
【００５３】
次いで、制御部４３によって個別領域ＡＲ１〜ＡＲ４のうちから対象とする領域が設定される（ステップＳ１２）。なお、以降の制御方法においては、個別領域ＡＲ１〜ＡＲ４が順に選択されそれに応じた制御が実行される場合を例に説明するが、本発明はこれに限定されない。個別領域ＡＲ１〜ＡＲ４が、並行処理によって同時に制御対象となってもよい。また、個別領域ＡＲ１〜ＡＲ４のいずれを制御対象とするかの選択処理は、照度比較部４２によって実行してもよい。
【００５４】
個別領域ＡＲ１〜ＡＲ４のうち制御対象となる領域が設定されると、人体検出を行う（ステップＳ１３）。本処理においては、対象とする領域における人体の有無が、人感センサ３２からの検出信号によって、照度比較部４２に送信される。
【００５５】
人感センサ３２からの検出信号が人体の存在を示す場合、照度比較部４２は、人体フラグをＯＮに設定する（ステップＳ４１）。一方、人感センサ３２からの検出信号が人体の存在を示さない場合、照度比較部４２は、人体フラグをＯＦＦに設定する（ステップＳ４１）。
【００５６】
次いで、照度測定を行う（ステップＳ１５）。本処理においては、対象とする領域における照度が、照度センサ３１からの計測信号によって、照度比較部４２に送信される。例えば、個別領域ＡＲ１が対象である場合、測定照度ＩＳｍ１が照度比較部４２に送信される。なお、以降の説明においては、想定される最大照度を１００％とし、これを基準とした相対値を照度の単位として用いる。
【００５７】
次いで、照度比較を行う（ステップＳ１６）。本処理においては、照度比較部４２にあらかじめ記憶された設定照度ＩＳ１〜ＩＳ４が用いられる。設定照度ＩＳ１〜ＩＳ４は、好ましくは、各領域での人体フラグのＯＮ／ＯＦＦによって異なる値が設定されている。また、さらに好ましくは、設定照度ＩＳ１〜ＩＳ４は、時刻計測手段４４によって計測された時刻によって異なる値が設定されている。
【００５８】
図１３に示した例においては、個別領域ＡＲ１に人体ＨＭが存在している。そして、時刻は、人間が活発に活動すべき日中などの時刻である。この場合、少なくとも個別領域ＡＲ１において目標とすべき照度である。設定照度ＩＳ１は、１００％に設定される。また、リビングダイニングルームＬＤ全体として、個別領域ＡＲ１〜ＡＲ４のいずれかに人体ＨＭが存在する場合、すべての領域における設定照度ＩＳ１〜ＩＳ４が１００％に設定される場合を本例とする。個別領域ＡＲ１については、設定照度ＩＳ１と測定照度ＩＳｍ１とが照度比較部４２によって比較される。この照度比較部４２による照度比較結果に基づいて、制御部４３が電源部４１へと発光領域２０１に供給すべき電力についての指令がなされる。
【００５９】
制御部４３から電源部４１への指令の具体的態様は特に限定されないが、たとえば、設定照度ＩＳ１と測定照度ＩＳｍ１との差分に基づいて、いわゆるフィードバック制御に寄って制御部４３から電源部４１への指令がなされる。なお、ＬＥＤ発光部２が発光することによって、個別領域ＡＲ１〜ＡＲ４の各領域における照度を高めることは可能である一方、低下させることは不可能である。したがって、測定照度ＩＳｍ１が設定照度ＩＳ１よりも低い場合に、発光領域２０１が前記差分に応じた輝度に設定され、測定照度ＩＳｍ１が設定照度ＩＳ１以上である場合は、発光領域２０１は消灯状態とされる。
【００６０】
さらに、照度比較部４２は、第１ＬＥＤモジュール２２Ａと第２ＬＥＤモジュール２２Ｂとによって達成されるべき照度が個別に設定記憶された構成であってもよい。たとえば、個別領域ＡＲ１について、設定照度ＩＳ１に加えて、第１ＬＥＤモジュール２２Ａによって照らされることによって達成される昼光色照度ＩＳ１１と、第２ＬＥＤモジュール２２Ｂによって照らされることによって達成される電球色照度ＩＳ１２とが、照度比較部４２に設定されている。これは、個別領域ＡＲ２〜ＡＲ４についても同様である。そして、照度比較部４２からは、第１ＬＥＤモジュール２２Ａによって達成されるべき昼光色照度ＩＳ１１を実現しうるように、制御部４３に対して照度比較結果が送信され、且つ第２ＬＥＤモジュール２２Ｂによって達成されるべき電球色照度ＩＳ１２を実現しうるように、制御部４３に対して照度比較結果が送信される。制御部４３は、これらの照度比較結果に基づいて、電源部４１に対して発光領域２０１の第１ＬＥＤモジュール２２Ａと発光領域２０１の第２ＬＥＤモジュール２２Ｂとのそれぞれの輝度を指令する。
【００６１】
次いで、電流設定を行う（ステップＳ１７）。本処理においては、制御部４３からの指令に基づいて、電源部４１によって発光領域２０１の第１ＬＥＤモジュール２２Ａに投入すべき電流条件と、第２ＬＥＤモジュール２２Ｂに投入すべき電流条件とが決定される。そして、発光領域２０１の第１ＬＥＤモジュール２２Ａおよび第２ＬＥＤモジュール２２Ｂのそれぞれに設定された電流が流される。これにより、測定照度ＩＳｍ１は、設定照度ＩＳ１により近づくこととなる。
【００６２】
以上の処理を経ると、ステップＳ１８を実行する。本ステップにおいては、照明動作を終了すべく、電源がＯＦＦにされているか否かが判断される。電源ＯＦＦでない場合（ステップＳ１８：Ｎｏ）、ステップＳ１２が実行される。たとえば個別領域ＡＲ１について、ステップＳ１３〜Ｓ１７が実行された後は、ステップＳ１２おいて制御対象として個別領域ＡＲ２が選択され、ステップＳ１３〜Ｓ１７が実行される。これにより、電源がＯＦＦにされるまでの間、制御対象がＡＲ１→個別領域ＡＲ２→個別領域ＡＲ３→個別領域ＡＲ４→個別領域ＡＲ１と、制御対象となる領域が循環する。そして、それぞれの領域に対して、上述したステップＳ１３〜Ｓ１７が実行される。この結果、リビングダイニングルームＬＤの個別領域ＡＲ１〜個別領域ＡＲ４における照度は、設定照度ＩＳ１〜ＩＳ４に設定される。
【００６３】
一方、電源ＯＦＦとされた場合（ステップＳ１８：Ｙｅｓ）、ＬＥＤ発光部２への電力投入が停止され、点灯制御が終了する（ステップＳ９９）。
【００６４】
図１４〜図１７は、設定照度ＩＳ１〜ＩＳ４の他の設定例を示している。
【００６５】
図１４に示す例においては、設定照度ＩＳ１〜ＩＳ４がすべて０％に設定されている。これは、たとえば、人感センサ３２によって人体ＨＭが検出されず、人体フラグがいずれの領域においてもＯＦＦである場合である。本例においては、人体ＨＭが存在しない限り、リビングダイニングルームＬＤを照らす必要がないとの意図である。あるいは、人体ＨＭが活動しない時間帯であることが、時刻計測手段４４によって測定された時刻から明らかである場合、人感センサ３２の検出結果によらず、設定照度ＩＳ１〜ＩＳ４がすべて０％に設定されてもよい。
【００６６】
図１５に示す例においては、人体ＨＭが検出されない場合であってもリビングダイニングルームＬＤの各領域を所望の照度に保っておくことが意図されている。たとえば、リビングダイニングルームＬＤにおける個別領域ＡＲ２は、リビングルームとして使用されることが意図されている。このような領域は、たとえリビングダイニングルームＬＤ内に人体ＨＭが検出されていなくても、たとえば、リビングダイニングルームＬＤに隣接する廊下から観察された場合に、適度な明るさに保っておくことが好ましい場合がある。また、個別領域ＡＲ３は、ダイニングルームとして使用されることが意図されているため、個別領域ＡＲ２と同様に適度な明るさに保っておくことが好ましいといえる。ただし、設定照度ＩＳ２と設定照度ＩＳ３を比較すると、住人の好みなどに応じて、たとえば設定照度ＩＳ２がより高い値に設定されていてもよい。一方、リビングダイニングルームＬＤにおいて主要な領域とは位置づけられていない個別領域ＡＲ１および個別領域ＡＲ４においては、設定照度ＩＳ１およびＩＳ４が比較的低い値に設定されている。なお、このような設定がなされる場合には、時刻計測手段４４によって計測された時刻が、たとえば人体ＨＭの活動時間帯に含まれる場合などである。
【００６７】
図１６に示す例において、図１５に示す例に加えて、個別領域ＡＲ２と個別領域ＡＲ３とに人体ＨＭの存在が検出された場合である。この場合、設定照度ＩＳ２は、人体ＨＭが存在するリビングルームとして適した設定照度ＩＳ２に設定される。図示された例においては、設定照度ＩＳ２は、８０％に設定されている。また、設定照度ＩＳ３は、人体ＨＭが存在するダイニングルームとして適した設定照度ＩＳ３に設定される。図示された例においては，設定照度ＩＳ３は、８０％に設定されている。さらに、発光領域２０１〜２０４の昼光色照度ＩＳ１１〜ＩＳ１４と電球色照度ＩＳ１２〜ＩＳ１４は、それぞれの領域が醸し出すべき雰囲気を実現しうるように各々設定される。
【００６８】
図１７に示す例においては、図１５に示す例に加えて、個別領域ＡＲ１に人体ＨＭの存在が検出された場合である。この場合、個別領域ＡＲ２〜個別領域ＡＲ４の設定照度ＩＳ２〜ＩＳ４は、図１５における値と変化しない。一方、個別領域ＡＲ１における設定照度ＩＳ１は、人体ＨＭの存在に応じて、１０％から４０％へと高められている。
【００６９】
次に、ＬＥＤ照明装置Ａ１の作用について説明する。
【００７０】
本実施形態によれば、照度センサ３１による照度測定結果に応じて、個別領域ＡＲ１〜ＡＲ４における照度を所望の照度に近づけることができる。このため、単に設置環境であるリビングダイニングルームＬＤ全体を均一な照度で照らすことにとどまらず、個別領域ＡＲ１〜ＡＲ４の各々の領域において相応しい照度で照らすことが可能である。したがって、設置環境であるリビングダイニングルームＬＤの状況に応じて適切に照らすことができる。
【００７１】
また、人感センサ３２による人体ＨＭの検出結果に基づいて設定照度ＩＳ１〜ＩＳ４を設定することにより、たとえば、人体ＨＭが存在しない場合に無駄に照明することを回避することが可能である。これは省電力化に好ましい。一方、個別領域ＡＲ１〜ＡＲ４の各々について人体ＨＭの存在を検出することにより、個別領域ＡＲ１〜ＡＲ４の各々において人体ＨＭが存在する場合または存在しない場合について、最適な照度に設定照度ＩＳ１〜ＩＳ４を設定することができる。たとえば、リビングダイニングルームＬＤ全体でのみ人体ＨＭの存在を検出していると、個別領域ＡＲ１〜ＡＲ４のいずれかのみを選択的に明るくするといった設定がかなわず、いずれかの領域に人体ＨＭが進入すると、すべての領域の照度を上げざるをえない。本実施形態によれば、より細やかな照度設定が可能であり、人体ＨＭの存在の有無によってより適切にリビングダイニングルームＬＤの照度状態を設定することができる。
【００７２】
ＬＥＤモジュール２２が昼光色を発する第１ＬＥＤモジュール２２Ａと電球色を発する第２ＬＥＤモジュール２２Ｂとを含むことにより、時刻、人体ＨＭの存在の有無およびリビングダイニングルームＬＤのうち個別領域ＡＲ１〜ＡＲ４のいずれの領域であるかに応じて、各領域における照明色を昼光色と電球色との間で任意に設定することができる。これにより、単一の色の光によって照度のみを変化させる照明制御に対して、設置環境の照明状態をより多彩に設定することを実現できる。
【００７３】
本発明に係るＬＥＤ照明装置は、上述した実施形態に限定されるものではない。本発明に係るＬＥＤ照明装置の各部の具体的な構成は、種々に設計変更自在である。
【符号の説明】
【００７４】
Ａ１      ＬＥＤ照明装置
ＬＤ      リビングダイニングルーム
ＣＬ      天井
ＡＲ１〜ＡＲ４      個別領域
ＨＭ      人体
ＩＳ１〜ＩＳ４      設定照度
ＩＳ１１〜ＩＳ１４      昼光色照度
ＩＳ１２〜ＩＳ２４      電球色照度
ＩＳｍ１〜ＩＳｍ４      測定照度
１      支持板
２      ＬＥＤ発光部
２０１      発光領域
２０２      発光領域
２０３      発光領域
２０４      発光領域
２１      ＬＥＤ基板
２２      ＬＥＤモジュール
２２Ａ      第１ＬＥＤモジュール
２２Ｂ      第２ＬＥＤモジュール
２２１      ＬＥＤチップ
２２２      リード
２２３      封止樹脂
２２４      ケース
３１      照度センサ
３２      人感センサ
４１      電源部
４２      照度比較部
４３      制御部
４４      時刻計測手段
５１      透光カバー
５２      センターカバー
５２１      計測孔
５２２      検出孔
【図１】
2016091882.tif 000003
【図２】
2016091882.tif 000004
【図３】
2016091882.tif 000005
【図４】
2016091882.tif 000006
【図５】
2016091882.tif 000007
【図６】
2016091882.tif 000008
【図７】
2016091882.tif 000009
【図８】
2016091882.tif 000010
【図９】
2016091882.tif 000011
【図１０】
2016091882.tif 000012
【図１１】
2016091882.tif 000013
【図１２】
2016091882.tif 000014
【図１３】
2016091882.tif 000015
【図１４】
2016091882.tif 000016
【図１５】
2016091882.tif 000017
【図１６】
2016091882.tif 000018
【図１７】
2016091882.tif 000019